(57)【要約】      （修正有）【課題】ディスペンサーをカウンターや専用の台上に置いた際、ディスペンサーをカウンターや専用の台に固定することなく、揺れによるディスペンサーの滑動を防止でき且つ台上における移動をも容易にできる座台を提供する。【解決手段】座台１の上部に物体の載置部３を備え且つ底部４に滑り止め部材５を備えており、また、座台１の本体２を持ち上げるカム１２とシャフト１１等からなる持ち上げ手段を備え且つ持ち上げた状態で任意の方向に移動できる球体キャスター８を備えた台車７を備えている。【選択図】図１
0003109523.tif 000002
【実用新案登録請求の範囲】
【請求項１】
上部に物体の載置部を備え且つ底部に滑り止め手段を備えており、また、座台本体を持ち上げる持ち上げ手段を備え且つ持ち上げた状態で任意の方向に移動できる移動手段を備えていることを特徴とする座台
【請求項２】
前記滑り止め手段が底部に点在的に設けられていることを特徴とする請求項１の座台
【請求項３】
前記持ち上げ手段が、カムを備える回動自在に支持されたシャフトと、カムによって載置台の下方に押し出される移動手段を備えた台車とから構成されていることを特徴とする請求項１の座台
【請求項４】
前記移動手段が脱落不能に遊嵌された球状体であることを特徴とする請求項３の座台
【請求項５】
ディスペンサー用の座台であることを特徴とする請求項１の座台
【考案の詳細な説明】
【技術分野】
【０００１】
本考案は、振動や揺動による物体の滑動を防止するための座台に関するものである。
【背景技術】
【０００２】
従来、ディスペンサーはレストランやファーストフード店をはじめとして多くの飲食店で用いられている。そして、これらの店舗に設置されているディスペンサーは単にカウンターや専用に設けられた台上に置かれているだけである。このため、地震の発生等によってディスペンサーが置かれている台が揺動した場合、その揺れによりディスペンサーが台上を滑動したり、また、滑動によって台から落下する危険があった。
【０００３】
しかして、安全面から見ればディスペンサーの固定は必要であるが、ディスペンサーの設置形態は店舗によって千差万別であるため、ディスペンサー本体に固定具設置等の対応策を取ることが難しかった。
また、ディスペンサーは、ディスペンサー本体だけでもその重量は極めて重いものであり、それにジュース等の清涼飲料水がセットされることによってディスペンサー全体の重量は更に重くなるのである。
【０００４】
従って、このディスペンサーをカウンターや専用の台上に固定するにはそれ相応の固定具を用いなければならないため、店舗の形態によっては店内イメージが低下する恐れもあった。
また、ディスペンサーが固定されることによってディスペンサー下方の台上が清掃できなくなり衛生面の低下も問題となるのである。
【考案の開示】
【考案が解決しようとする課題】
【０００５】
本考案は上述した問題点に鑑みてなされたもので、ディスペンサーをカウンターや専用の台上に固定することなく、揺れによるディスペンサーの滑動を防止でき且つ台上における移動をも容易にできる座台を提供することを目的とするものである。
【課題を解決するための手段】
【０００６】
本考案の要旨とするところは、上部に物体の載置部を備え且つ底部に滑り止め手段を備えており、また、座台本体を持ち上げる持ち上げ手段を備え且つ持ち上げた状態で任意の方向に移動できる移動手段を備えていることを特徴とする座台である。
【０００７】
本考案の座台を詳しく説明すると、座台は、ディスペンサーを載置するカウンターや専用に設けられた台をはじめとする任意の部材の載置面上に置かれ、その座台に設けられている載置部にディスペンサー等の物品が置かれる。そして、載置部または座台の任意の部位と載置部に置かれるディスペンサー等の物品を固定してもよい。その固定方法や固定形態等も特に限定するものではなく、載置する物品の形状や形態等によって好適な方法や形態で固定すればよい。具体的な例として、ディスペンサーを固定する場合は、載置部とディスペンサーの間に振動を吸収できる防振ゴム等の振動緩和や振動吸収ができる任意の介在部材を介して固定してもよい。勿論、座台の載置部に置くものはディスペンサーに限定されるものではなく、例えば、家具や電化製品等の物品でもよい。
【０００８】
載置部の形状は、載置部に載置する物品の底部形状等を考慮して選定すればよく特に限定するものではない。例えば、載置部の全部を平滑面としたり、載置部の一部（周縁部位あるいは内方部位）を他の載置面より突出あるいは窪ませてもよい。さらには、載置部を枠状、例えば、平面視において口状やコ状等の形状にしてもよい。載置部は、載置する物品がその載置部に安定よく置くことができる形状また形態であればよい。
【０００９】
また、座台の底部に備えられている滑り止め手段とは、台に置かれた座台の滑りを防止するためのものであり、座台をディスペンサを載置するカウンターや専用に設けられた台をはじめとする任意の部材の載置面上に置いた際、座台が簡単に滑ることがないものであれば、その部材あるいは素材を特に限定するものではない。市販の滑り止め部材を用いてもよい。滑り止め手段の配置は特に限定するものではなく、底部となる部分の全面または一部に設けたり、また、底部に点在的に設けてもよい。
そして、滑り止め手段は、座台の設置面に合わせて特に摩擦係数の高い専用のものを用いてもよい。さらには、滑り止め手段を載置台の底部と必要な時に着脱できるようにして、座台を設置する台の表面状態や表面素材に合わせて滑り止め手段を変更できるようにしてもよい。
【００１０】
さらに座台には持ち上げ手段が設けられおり、その持ち上げ手段とは、座台本体と共に座台に載置される物品を持ち上げ（ジャッキアップ）ることができると共に、その状態で座台を任意の方向に移動できる移動手段が設けられているものである。その持ち上げ手段は座台の任意の部位、例えば、載置台の下方や載置台内に配設すればよい。移動手段も、座台と共に座台に載置される物品の重量に耐えることができるものでなければならない。
そして、持ち上げる方法や構造は公知の技術を用いて構成すればよく特に限定するものではない。パンタグラフ形態のジャッキ等でもよい。持ち上げ手段の駆動は手動または電動で行えばよい。また、移動手段とは、既設置場所から任意の場所に移動するためのキャスター等の部材を指すものである。勿論、キャスターに限定されるものではない。
【００１１】
持ち上げ手段を座台の載置台内に備えるならば、持ち上げ手段の構成を、カムを備える回動自在に支持したシャフトと、カムによって載置台の下方に押し出される任意の移動手段を備えた上下移動できる台車とから構成するのがよい。
具体的には、シャフトは載置台外方から任意の工具によって回転できるように載置台内に配設するのがよく、そのシャフトは適数の軸受け等の部材で支持するようにしてもよい。また、台車はカムによって載置台の下方に押し出されるように、例えば、縦長の孔あるいは切欠きが形成された適数の支持部材（ガイド部材）に台車を直接または任意の部位を介在させて遊嵌するようにしてもよい。
そして、移動手段すなわち座台を任意の方向に移動させるための座台移動部材は、座台と共に座台に載置される物品の重量に耐え、且つ座台を移動できるものであれば何でもよい。しかして、望ましくは脱落不能に遊嵌された球状体からなるものが適する。
【００１２】
従って、本考案の座台は以上のように構成されているので、本座台にディスペンサーを載置する場合は、座台の載置部に接続部材を介してディスペンサーをセットする。この接続部材によってディスペンサーは座台に固定される。この状態で座台をカウンター等の台に置く。そして、地震等によってカウンター等の台が揺れた際は、座台の底部に設けた滑り止め部材によって座台の滑動が阻止される。
また、載置部とディスペンサーの間に振動を吸収できる防振ゴム等の振動緩和や振動吸収ができる任意の介在部材を介して固定している場合、この介在部材によっても揺れが吸収または緩和される。
【００１３】
そして、座台を設置しているカウンター等の台上を清掃する際は、座台に設けた持ち上げ手段を操作することにより、座台の内部から台車が下方に降りてくると共に台車のキャスターが座台の底面より突出して座台を持ち上げる。そして、台車のキャスターによって任意の方向に座台を移動できる。
【考案の効果】
【００１４】
本考案の座台は以上のように構成されているので、ディスペンサーをカウンターや専用の台上に置いた際も、ディスペンサーをカウンターや専用の台上に固定することなく、揺れによるディスペンサーの滑動を防止できる。
また、ディスペンサーを置いてあるカウンターや専用の台上を清掃する際も、容易且つ簡単に座台ごとディスペンサーを移動できるので、衛生的にも非常に優れたものである。
【考案を実施するための最良の形態】
【００１５】
本考案の座台を以下図面に従って説明すると、図１は、本考案に係る座台の斜視図であり、以下に説明する実施例はディスペンサーを例にしたものである。また、本実施例の座台は、載置部３にディスペンサーを直接載置するのではなく、連結具１４を介して載置且つ固定するように構成されているものである。
１は座台、２は座台１の本体、３は載置部、６は通孔である。本通孔６は図には示していないが（図４参照）、ディスペンサー１８と連結具１４とを接続するための連結具１４の螺子部１６を通すための通孔である。連結具１４の固定は、任意のナットを螺子部１６に螺合し且つ締付けて行えばよい。
７は台車、８は球体キャスター、９は台車７の上下移動用のガイド、１０はシャフト、１１はシャフト１０の軸受、１２は台車７を下方に移動させるためのカム、１３はシャフト１０を回転させるための回転操作部である。すなわち、シャフト１０の回転によってカム１２が台車７を下方に移動させ、それによって台車７の球体キャスター８が座台１の本体２底部４から突出して座台１の本体２が持ち上がる。
【００１６】
図２は、座台の底面図であり、１は座台、２は座台１の本体、４は底部、５は滑り止め部材、７は台車、８は球体キャスター、１０はシャフトである。本図は滑り止め部材５を底部４のほぼ全面に設けているものである。
【００１７】
図３は、他の形態の滑り止め具を設けた座台の底面図であり、１は座台、２は座台１の本体、４は底部、５１は滑り止め部材、７は台車、８は球体キャスター、１０はシャフトである。本図は滑り止め部材５１を底部４に点在的に設けているものである。
【００１８】
図４は、連結具の一例を示す斜視図であり、１４は連結具、１５は連結具１４のゴム部（本体）、１６は連結具１４の螺子部である。
螺子部１６の一方は座台の本体２の載置部３に設けられている通孔６（図１参照）に通され、その螺子部１６にナットが螺合され且つ締付けされて連結具１４が載置部３に立設固定される。
【００１９】
図５は、連結具を取り付けた座台の側面図であり、２は座台１の本体、３は載置部、５は底部４に設けている滑り止め部材、１４は連結具、１５は連結具１４のゴム部（本体）、１６は連結具１４の螺子部である。座台１の載置部３に立設固定された連結具１４の螺子部１６に、ディスペンサー１８（図１１参照）に設けられた固定部が嵌り、ナット等の固定手段によってディスペンサーと連結具１４とが固定される。
そして、地震等による揺れが発生した際は、この連結具１４によってディスペンサーの揺れが吸収または緩和される。
【００２０】
図６は、他の形態の連結具を取り付けた座台の側面であり、本図は、図４の連結具１４のゴム部１５（本体）を載置部３のほぼ全体に配設できるようにしたものである。２は座台１の本体、３は載置部、５は底部４に設けている滑り止め部材、１４１は連結具、１５１は連結具１４１のゴム部（本体）、１７は連結具１４１の螺子部である。
【００２１】
図７は、座台の一部拡大斜視図であり、本図は回転操作部１３側と逆側の一部拡大斜視図である。２は座台１の本体、３は載置部、６は通孔で、ディスペンサー１８と連結具１４とを接続するための連結具１４の螺子部１６を通すための通孔である。７は台車、８は球体キャスター、９は台車７の上下移動用のガイド、１０はシャフト、１１はシャフト１０の軸受、１２は台車７を下方に移動させるためのカム、１３はシャフト１０を回転させるための回転操作部である。
【００２２】
図８は、座台の一部拡大斜視図であり、本図は回転操作部１３側の一部拡大斜視図である。２は座台１の本体、３は載置部、６は通孔で、ディスペンサー１８と連結具１４とを接続するための連結具１４の螺子部１６を通すための通孔である。７は台車、９は台車７の上下移動用のガイド、１０はシャフト、１１はシャフト１０の軸受、１２は台車７を下方に移動させるためのカム、１３はシャフト１０を回転させるための回転操作部である。
【００２３】
図９は、台車の一例を示す側面図であり、７は台車、８は球体キャスター、９は台車７の上下移動用のガイド、１０はシャフト、１２は台車７を下方に移動させるためのカムである。
シャフト１０を矢印方向に回転させることによりカム１２が同方向に回転し、そのカム１２によって台車７が下方に移動され、その台車７の下方移動によって台車７に設けられた球体キャスター８本体２底部４から突出し、その球体キャスター８の突出によって本体２すなわち座台１が持ち上がる。
【００２４】
図１０は、台車により座台が持ち上がった状態の図であり、球体キャスター８の突出によって本体２すなわち座台１が持ち上がり、載置面１９から座台の本体２の底部４（滑り止め部材５）が離れ、座台１は球体キャスター８によって任意の方向に移動させることができる。
【００２５】
図１１は、ディスペンサーを載置した座台を示す図であり、本図は、連結具１４を介在させてディスペンサー１８を載置した座台１が、カウンター等の載置面１９に設置された状態の図である。
【００２６】
図１２は、ディスペンサーを載置した座台が持ち上がった状態を示す図であり、座台１は台車７に設けられた球体キャスター８によって任意の方向に移動させることができるようになる。
【図面の簡単な説明】
【００２７】
【図１】本考案に係る座台の斜視図
【図２】座台の底面図
【図３】他の形態の滑り止め具を設けた座台の底面図
【図４】連結具の一例を示す斜視図
【図５】連結具を取り付けた座台の側面図
【図６】他の形態の連結具を取り付けた座台の側面
【図７】座台の一部拡大斜視図
【図８】座台の一部拡大斜視図
【図９】台車の一例を示す側面図
【図１０】台車により座台が持ち上がった状態の図
【図１１】ディスペンサーを載置した座台を示す図
【図１２】ディスペンサーを載置した座台が持ち上がった状態を示す図
【符号の説明】
【００２８】
１−座台，２−本体，３−載置部，４−底部，５−滑り止め部材，５１−滑り止め部材，６−通孔，７−台車，８−球体キャスター，９−ガイド，１０−シャフト，１１−軸受，１２−カム，１３−回転操作部，１４−連結具，１４１−連結具，１５−ゴム部，１５１−ゴム部，１６−螺子部，１７−螺子部，１８−ディスペンサー，１９−載置面
【図１】
0003109523.tif 000003
【図２】
0003109523.tif 000004
【図３】
0003109523.tif 000005
【図４】
0003109523.tif 000006
【図５】
0003109523.tif 000007
【図６】
0003109523.tif 000008
【図７】
0003109523.tif 000009
【図８】
0003109523.tif 000010
【図９】
0003109523.tif 000011
【図１０】
0003109523.tif 000012
【図１１】
0003109523.tif 000013
【図１２】
0003109523.tif 000014